(57)【要約】      （修正有）【課題】分光器を用いて測定精度を維持したまま、測定時間を短くした測色器、測色方法、およびその測色器を備えた画像処理装置を提供する。【解決手段】測色器はカラーパッチ画像情報に基づいてカラーパッチ画像が画像処理装置により出力されるときの分光特性を示す情報に基づいて、分光センサー部１４０により測定する光の波長を選択するとともに、前記選択した各光の波長の測定時間を決定し、前記光の波長及び前記測定時間を測定条件として設定する。【選択図】図１
2014190916.tif 000002
【特許請求の範囲】
【請求項１】
分光センサー部と、
画像処理装置から出力するカラーパッチ画像のカラーパッチ画像情報を生成するカラーパッチ生成部と、
前記カラーパッチ画像情報に基づいて前記カラーパッチ画像が前記画像処理装置により出力されるときの分光特性を示す情報に基づいて、前記分光センサー部により測定する光の波長を選択するとともに、前記選択した各光の波長の測定時間を決定し、前記光の波長及び前記測定時間を測定条件として設定する測定条件設定部と、
前記カラーパッチ画像情報に基づいて前記画像処理装置から出力される前記カラーパッチ画像の前記分光センサー部による測定を、前記設定された測定条件に基づいて制御する測定制御部と、
前記分光センサー部により測定された各光の波長のデータに基づいて、前記画像処理装置の出力の分光特性及び色彩値を計算する計算部と、
を有することを特徴とする測色器。
【請求項２】
請求項１に記載の測色器であって、
前記測定条件設定部は、前記カラーパッチ画像が前記画像処理装置により出力されるときの前記分光特性を示す情報に基づいて、当該分光特性の特徴点となる光の波長を、前記分光センサー部により測定する光の波長として選択する、
ことを特徴とする測色器。
【請求項３】
請求項２に記載の測色器であって、
前記測定条件設定部は、前記カラーパッチ画像が前記画像処理装置により出力されるときの前記分光特性を示す情報に基づいて、当該分光特性の２次微分を求め、２次微分値が高い方から所定数の光の波長を、前記特徴点として決定する、
ことを特徴とする測色器。
【請求項４】
請求項２に記載の測色器であって、
前記測定条件設定部は、前記カラーパッチ画像が前記画像処理装置により出力されるときの前記分光特性を示す情報に基づいて、当該分光特性の２次微分を求め、２次微分値が所定閾値を超える光の波長を、前記特徴点として決定する、
ことを特徴とする測色器。
【請求項５】
請求項１〜４いずれか一項に記載の測色器であって、
前記計算部により計算された前記色彩値に基づいて、前記画像処理装置が画像を出力するときの色補正処理に用いる色補正情報を生成する色補正情報生成部、
を有することを特徴とする測色器。
【請求項６】
請求項５に記載の測色器を備える前記画像処理装置であって、
前記カラーパッチ画像及び前記画像を出力する出力部と、
前記画像を出力するときに、前記色補正情報に基づいて色補正処理を行う色補正処理部と、
を有することを特徴とする画像処理装置。
【請求項７】
請求項５に記載の測色器を備える前記画像処理装置であって、
前記計算部により計算された前記色彩値を、プロファイル情報として出力するプロファイル出力部、
を有することを特徴とする画像処理装置。
【請求項８】
請求項６又は７に記載の画像処理装置であって、
表示装置、投影装置、又は印刷装置である、
ことを特徴とする画像処理装置。
【請求項９】
画像処理装置の出力特性を、分光センサー部を用いて測定する測色方法であって、
前記画像処理装置から出力するカラーパッチ画像のカラーパッチ画像情報を生成するカラーパッチ生成ステップと、
前記カラーパッチ画像情報に基づいて前記カラーパッチ画像が前記画像処理装置により出力されるときの分光特性を示す情報に基づいて、前記分光センサー部により測定する光の波長を選択するとともに、前記選択した各光の波長の測定時間を決定し、前記光の波長及び前記測定時間を測定条件として設定する測定条件設定ステップと、
前記カラーパッチ画像情報に基づいて前記画像処理装置から出力される前記カラーパッチ画像の前記分光センサー部による測定を、前記設定された測定条件に基づいて制御する測定制御ステップと、
前記分光センサー部により測定された各光の波長のデータに基づいて、前記画像処理装置の出力の分光特性及び色彩値を計算する計算ステップと、
を含むことを特徴とする測色方法。
【発明の詳細な説明】
【技術分野】
【０００１】
本発明は、測色器、画像処理装置、測色方法などに関する。
【背景技術】
【０００２】
液晶ディスプレイなどの表示装置が表示する色を測定する手段としては、スタンドアローン型の測色器や分光光度計を用いる方法がある。この方法は、機器が高額なうえに扱いが難しく手間がかかるため、一般ユーザーには不向きである。
【０００３】
また、表示装置に内蔵された濃度計やＲＧＢセンサーを用いる方法があるが、この方法は、分光光度計などを用いる方法と比べると測定精度が低下する。特許文献１には、モニターの表示特性量をＲＧＢセンサーで測定する際に、画像生成装置に記憶されたモニターのＩＣＣプロファイル等の定義情報に基づいてモニターの表示特性量を推定し、推定した表示特性量に基づいてセンサーの測定時間を変更することが記載されている。
【０００４】
一方、ファブリペロー方式などの小型の分光器を表示装置に内蔵する方法がある。この方法は、測定精度や使い勝手が向上する。
【先行技術文献】
【特許文献】
【０００５】
【特許文献１】特開２０１０−２３７３５０号公報
【発明の概要】
【発明が解決しようとする課題】
【０００６】
しかしながら、ファブリぺロー方式などの分光器を使用する方法では、その分光器の仕組み上、測定対象の波長ごとに電気的な制御を行う必要がある。そのため、測定対象の波長の数が多くなると、測定にかかる時間が増加してしまう。
【０００７】
そこで、本発明は、ファブリぺロー方式などの分光器を用いて測色を行う場合に、測定精度を維持したまま、測定時間を短くすることを目的とする。
【課題を解決するための手段】
【０００８】
上記の課題を解決する本発明の第一の態様は、分光センサー部と、画像処理装置から出力するカラーパッチ画像のカラーパッチ画像情報を生成するカラーパッチ生成部と、前記カラーパッチ画像情報に基づいて前記カラーパッチ画像が前記画像処理装置により出力されるときの分光特性を示す情報に基づいて、前記分光センサー部により測定する光の波長を選択するとともに、前記選択した各光の波長の測定時間を決定し、前記光の波長及び前記測定時間を測定条件として設定する測定条件設定部と、前記カラーパッチ画像情報に基づいて前記画像処理装置から出力される前記カラーパッチ画像の前記分光センサー部による測定を、前記設定された測定条件に基づいて制御する測定制御部と、前記分光センサー部により測定された各光の波長のデータに基づいて、前記画像処理装置の出力の分光特性及び色彩値を計算する計算部と、を有することを特徴とする測色器である。このようにすれば、カラーパッチが表示されたときに発せられる光の分光特性を特定し、当該特定された分光特性に基づいて、分光器による測定が行われるため、測定精度を維持したまま、測定時間を短くすることができる。
【０００９】
前記測定条件設定部は、前記カラーパッチ画像が前記画像処理装置により出力されるときの前記分光特性を示す情報に基づいて、当該分光特性の特徴点となる光の波長を、前記分光センサー部により測定する光の波長として選択する、ことを特徴としてもよい。このようにすれば、特徴となる波長を実際の測定対象とするため、分光特性を計算する際の精度を維持し易くなる。
【００１０】
前記測定条件設定部は、前記カラーパッチ画像が前記画像処理装置により出力されるときの前記分光特性を示す情報に基づいて、当該分光特性の２次微分を求め、２次微分値が高い方から所定数の光の波長を、前記特徴点として決定する、ことを特徴としてもよい。このようにすれば、より特徴がある波長を優先的に実際の測定対象とするため、分光特性を計算する際の精度を維持することができる。
【００１１】
前記測定条件設定部は、前記カラーパッチ画像が前記画像処理装置により出力されるときの前記分光特性を示す情報に基づいて、当該分光特性の２次微分を求め、２次微分値が所定閾値を超える光の波長を、前記特徴点として決定する、ことを特徴としてもよい。このようにすれば、分光特性にピーキーな部分が多く含まれる場合でも適切に波長を選択することができる。
【００１２】
前記測色器は、前記計算部により計算された前記色彩値に基づいて、前記画像処理装置が画像を出力するときの色補正処理に用いる色補正情報を生成する色補正情報生成部、を有することを特徴としてもよい。このようにすれば、画像処理装置の色補正に用いる色補正情報を、精度を維持しかつ時間を短くして生成することができる。
【００１３】
上記の課題を解決する本発明の第二の態様は、上記の測色器を備える前記画像処理装置であって、前記カラーパッチ画像及び前記画像を出力する出力部と、前記画像を出力するときに、前記色補正情報に基づいて色補正処理を行う色補正処理部と、を有することを特徴とする。このようにすれば、画像処理装置において、色補正情報の生成時間を短くするとともに、精度を維持した色補正処理を行うことができる。
【００１４】
上記の課題を解決する本発明の第三の態様は、上記の測色器を備える前記画像処理装置であって、前記計算部により計算された前記色彩値を、プロファイル情報として出力するプロファイル出力部、を有することを特徴とする。このようにすれば、画像処理装置において、プロファイル情報の生成時間を短くするとともに、精度を維持したプロファイル情報を出力することができる。
【００１５】
前記画像処理装置は、表示装置、投影装置、又は印刷装置である、ことを特徴としてもよい。このようにすれば、表示装置においては、表示に関する色補正情報やプロファイル情報の生成時間を短くするとともに、精度を維持することができる。また、投影装置では、投影に関する色補正情報やプロファイル情報の生成時間を短くするとともに、精度を維持することができる。また、印刷装置では、印刷に関する色補正情報やプロファイル情報の生成時間を短くするとともに、精度を維持することができる。
【００１６】
上記の課題を解決する本発明の第四の態様は、画像処理装置の出力特性を、分光センサー部を用いて測定する測定方法であって、前記画像処理装置から出力するカラーパッチ画像のカラーパッチ画像情報を生成するカラーパッチ生成ステップと、前記カラーパッチ画像情報に基づいて前記カラーパッチ画像が前記画像処理装置により出力されるときの分光特性を示す情報に基づいて、前記分光センサー部により測定する光の波長を選択するとともに、前記選択した各光の波長の測定時間を決定し、前記光の波長及び前記測定時間を測定条件として設定する測定条件設定ステップと、前記カラーパッチ画像情報に基づいて前記画像処理装置から出力される前記カラーパッチ画像の前記分光センサー部による測定を、前記設定された測定条件に基づいて制御する測定制御ステップと、前記分光センサー部により測定された各光の波長のデータに基づいて、前記画像処理装置の出力の分光特性及び色彩値を計算する計算ステップと、を含むことを特徴とする。このようにすれば、カラーパッチが表示されたときに発せられる光の分光特性を特定し、当該特定された分光特性に基づいて、分光器による測定が行われるため、測定精度を維持したまま、測定時間を短くすることができる。
【図面の簡単な説明】
【００１７】
【図１】本発明の第一実施形態に係る表示装置１の概略構成の一例を示す図である。
【図２】分光部１４２の概略構成の一例を示す図である。
【図３】表示特性テーブルの一例を示す図である。
【図４】測定時間テーブルの一例を示す図である。
【図５】色補正テーブルの一例を示す図である。
【図６】色補正データを生成する処理の一例を示すフロー図である。
【図７】測定波長の決定方法の一例を説明する図である。
【図８】色補正データの生成方法の一例を説明する図である。
【図９】色補正処理の一例を示すフロー図である。
【図１０】本発明の第二実施形態に係る投影装置２の概略構成の一例を示す図である。
【図１１】本発明の第三実施形態に係る印刷装置３の概略構成の一例を示す図である。
【図１２】色補正データを生成する処理の一例を示すフロー図である。
【図１３】色補正処理の一例を示すフロー図である。
【図１４】各画像処理装置における分光センサー部１４０の設置位置の例を説明する図である。
【発明を実施するための形態】
【００１８】
＜第一実施形態＞
本発明の第一実施形態について、図面を参照して説明する。なお、以下では、統一的に「画像」という言葉を用いるが、「映像」も画像と同様に扱うことができる。
【００１９】
図１は、本発明の第一実施形態に係る表示装置１の概略構成の一例を示す図である。
【００２０】
表示装置１は、例えば液晶ディスプレイである。ここで、表示装置１は、内部にファブリぺロー方式の小型の分光センサーを備える。この表示装置１は、液晶ディスプレイなどの表示面に表示されたカラーパッチ画像の光を、分光センサーにより分光するとともに、分光された波長の光の輝度を検出する。また、検出した各波長の光の輝度に基づいて、表示装置１が入力画像信号に基づいて表示を行うときに用いる色補正データを生成する。表示装置１は、生成した色補正データを用いて入力画像信号を補正し、表示を行う。
【００２１】
上記のような機能を実現するため、表示装置１は、測定制御部１００と、記憶部１１０と、表示部１２０と、信号処理部１３０と、分光センサー部１４０とを有する。なお、測定制御部１００、記憶部１１０、及び分光センサー部１４０は、表示装置１に内蔵の測色器としての構成要素であってもよい。表示部１２０、信号処理部１３０、分光センサー部１４０、測定制御部１００、記憶部１１０の順に説明する。
【００２２】
表示部１２０は、液晶ディスプレイなどの表示部である。表示部１２０は、信号処理部１３０から出力される画像信号に従って、表示面に画像を表示する。なお、「表示部」は、「出力部」と呼んでもよい。
【００２３】
信号処理部１３０は、例えばＰＣ（Personal Computer）などの情報処理装置５から画像信号が入力された場合、色補正データ記憶部１１２に格納されている色補正データに基づいて入力画像信号の色を補正し、表示部１２０に出力する。なお、信号処理部１３０は、色補正データを色補正データ記憶部１１２から読み出して、自身内部の記憶装置に格納しておき、当該記憶装置内の色補正データを用いて、色補正を行ってもよい。なお、「信号処理部」は、「色補正処理部」と呼んでもよい。
【００２４】
また、信号処理部１３０は、測定制御部１００又は記憶部１１０からカラーパッチ画像の画像信号が入力された場合、色補正を行わずに、表示部１２０に出力する。
【００２５】
分光センサー部１４０は、ファブリぺロー方式の分光器を含む光検出装置である。第一実施形態では、分光センサー部１４０は、表示部１２０からの光を検出できるように、例えば、表示部１２０の表示面と対向する位置及び向きで設置される。
【００２６】
分光センサー部１４０は、導光部１４１と、分光部１４２と、受光部１４３と、分光制御部１４４と、受光制御部１４５とを有する。
【００２７】
分光センサー部１４０は、例えば図１４（Ａ）（表示装置１における分光センサー部１４０の設置位置の例を説明する図）に示すように、導光部１４１が表示部１２０の表示面側を向くように、表示部１２０の上部に設置される。
【００２８】
導光部１４１は、表示部１２０からの光を分光部１４２に導く部材である。導光部１４１は、例えば、開口部（アパーチャーと呼んでもよい。）を含み、表示面から発せられた光が通るとともに、分光部１４２に導く。もちろん、導光部１４１は、上記の構成に限られず、例えば開口部、光ファイバー、レンズなどの構成要素のいずれか一つ又は二つ以上を含んでいてもよい。なお、光ファイバー及びレンズは、表示面から発せられた光を集光して分光部１４２に導く。
【００２９】
分光部１４２は、表示部１２０から発せられる光から特定の波長の光を分光する部材である。図２は、分光部１４２の概略構成の一例を示す図である。
【００３０】
分光部１４２は、例えば、平面視した場合に矩形状であり、長辺が例えば１０ｍｍに形成されている。従って、図２は、分光部１４２の中央を長辺又は短辺方向に切った断面図である。分光部１４２は、固定基板１４２１と、可動基板１４２２とを備える。固定基板１４２１、及び可動基板１４２２は、それぞれ、例えば、ソーダガラス、結晶性ガラス、石英ガラス等の各種ガラスや、水晶等により形成されている。そして、固定基板１４２１、及び可動基板１４２２は、例えば、常温活性化接合などにより接合されることで、一体的に構成されている。
【００３１】
また、固定基板１４２１と可動基板１４２２との間には、固定反射膜１４２３、及び可動反射膜１４２４が設けられる。固定反射膜１４２３は、固定基板１４２１における可動基板１４２２に対向する面に固定されている。可動反射膜１４２４は、可動基板１４２２における固定基板１４２１に対向する面に固定されている。また、固定反射膜１４２３、及び可動反射膜１４２４は、ギャップＧを介して対向配置されている。
【００３２】
また、固定基板１４２１と可動基板１４２２との間には、固定反射膜１４２３、及び可動反射膜１４２４の間のギャップＧの間隔を調整するための静電アクチュエーター１４２５が設けられている。
【００３３】
固定基板１４２１は、厚みが例えば５００μｍのガラス基材をエッチングにより加工することで形成される。固定基板１４２１には、エッチングにより電極形成溝１４２６が形成される。電極形成溝１４２６には、静電アクチュエーター１４２５を構成する第一電極１４２５ａが形成される。第一電極１４２５ａは、図示しない電極引出部を介して分光制御部１４４（図１参照）に接続されている。
【００３４】
可動基板１４２２は、厚みが例えば２００μｍのガラス基材をエッチングにより加工することで形成される。可動基板１４２２には、第一電極１４２５ａに電磁ギャップを介して対向する、静電アクチュエーター１４２５を構成する第二電極１４２５ｂが形成されている。第二電極１４２５ｂは、図示しない電極引出部を介して分光制御部１４４（図１参照）に接続されている。
【００３５】
分光制御部１４４から出力される電圧により、第一電極１４２５ａ及び第二電極１４２５ｂの間に静電引力が働き、ギャップＧの間隔が調整され、当該ギャップ間隔に応じて、分光部１４２を透過する光の透過波長が決定される。すなわち、静電アクチュエーター１４２５によりギャップ間隔を適宜調整することで、分光部１４２を透過する光が決定されて、分光部１４２を透過した光が受光部１４３で受光される。
【００３６】
図１に戻って説明する。受光部１４３は、光を検出する部材である。受光部１４３は、例えば、フォトダイオード、フォトＩＣ等で構成される。受光部１４３は、分光部１４２を透過した光を受光すると、受光した光の強さ等に応じた電気信号（輝度値）を生成する。そして、受光部１４３は、生成した電気信号を受光信号として測定制御部１００に出力する。
【００３７】
受光部１４３は、受光制御部１４５から出力される駆動制御信号に基づいて、光の強さ等に応じて蓄積された電気信号を測定制御部１００に出力する。すなわち、受光部１４３は、当該駆動制御信号のタイミングで、蓄積された電気信号を測定制御部１００に出力する。なお、ある駆動制御信号のタイミングは、次の駆動制御信号のタイミングで出力する電気信号の蓄積を開始するタイミングでもある。
【００３８】
分光制御部１４４は、分光部１４２を制御する駆動回路である。分光制御部１４４は、分光部１４２の各電極引出部、及び測定制御部１００に接続される。分光制御部１４４は、測定制御部１００から駆動制御信号が入力されると、当該駆動制御信号を分光部１４２へ出力する。これにより、当該駆動制御信号に基づく駆動電圧が各電極引出部を介して、第一電極１４２５ａ及び第二電極１４２５ｂの間に印加される。そして、第一電極１４２５ａ及び第二電極１４２５ｂの間に静電引力が働き、ギャップ間隔が調整され、当該ギャップ間隔に応じて、分光部１４２を透過する光の波長が決定される。
【００３９】
受光制御部１４５は、受光部１４３を制御する駆動回路である。受光制御部１４５は、受光部１４３に接続される。受光制御部１４５は、測定制御部１００から駆動制御信号が入力されると、当該駆動制御信号を受光部１４３へ出力する。これにより、指定された測定時間の間、受光部１４３に蓄積された電気信号が、測定制御部１００に出力される。
【００４０】
もちろん、分光センサー部１４０の設置位置や構成は、表示部１２０の表示面から発せられる光を検出できるのであれば、上記の例に限られない。
【００４１】
測定制御部１００は、表示装置１による表示の測定に関する制御を行う。測定制御部１００は、カラーパッチ生成部１０１と、測定条件設定部１０２と、分光特性計算部１０３と、色彩値計算部１０４と、色補正データ生成部１０５とを有する。
【００４２】
カラーパッチ生成部１０１は、色補正データを作成するために用いる一以上のカラーパッチ画像情報（「色画像情報」と呼んでもよい。）を生成し、信号処理部１３０に出力する。
【００４３】
測定条件設定部１０２は、表示特性記憶部１１１に格納されている表示部１２０の表示特性に関するデータに基づいて、各カラーパッチ画像に対する測定条件（測定波長、測定時間など）を決定し、設定する。
【００４４】
なお、測定制御部１００は、測定条件設定部１０２により設定された測定条件に基づいて、分光センサー部１４０を制御する。すなわち、測定制御部１００は、設定された測定波長の光が分光部１４２により透過されるように分光制御部１４４に駆動制御信号を出力するとともに、設定された測定時間で蓄積された光の電気信号が受光部１４３から出力されるように受光制御部１４５に駆動制御信号を出力する。
【００４５】
分光特性計算部１０３は、受光部１４３から出力される光の電気信号（輝度値）や測定条件などに基づいて、各カラーパッチ画像の分光特性（例えば、スペクトル曲線）を計算し、色彩値計算部１０４に出力する。なお、分光特性計算部１０３は、分光特性を計算するに際し、得られた各波長の光の輝度値についてゲイン補正や波長方向の補間処理などを行う。
【００４６】
色彩値計算部１０４は、分光特性計算部１０３から出力される各カラーパッチ画像の分光特性に基づいて、各カラーパッチ画像の色彩値を計算し、色補正データ生成部１０５に出力する。色彩値には、例えば、ＣＩＥ規格に準拠したＸＹＺ色空間の値や、Ｌ＊ａ＊ｂ＊色空間の値を用いることができる。
【００４７】
色補正データ生成部１０５は、色彩値計算部１０４から出力される各カラーパッチの色彩値に基づいて、入力画像信号で指定される色を所望の目標色で表示部１２０に表示させるための色補正データを生成し、色補正データ記憶部１１２に格納する。
【００４８】
記憶部１１０には、測定制御部１００の処理に必要なデータ等が格納される。記憶部１１０には、表示特性記憶部１１１と、色補正データ記憶部１１２とが含まれる。
【００４９】
表示特性記憶部１１１には、表示部１２０の表示特性に関するデータが格納される。表示特性記憶部１１１には、例えば、表示特性テーブルと、測定時間テーブルとが格納される。なお、これらのテーブルは、表示装置１の動作にあたって予め格納されている。
【００５０】
図３は、表示特性テーブルの一例を示す図である。表示特性テーブルには、表示装置１に入力される入力画像信号のＲＧＢ値毎に、ＲＧＢ値１１１１と、当該ＲＧＢ値に基づいて色補正なしで表示部１２０による表示がされたときに測定される光の分光特性を表すスペクトルデータ１１１２とを関連付けたデータが格納される。例えば、表示装置１の製造時などに表示部１２０から発せられる光の測定が行われ、その測定結果が表示特性テーブルに反映される。
【００５１】
図４は、測定時間テーブルの一例を示す図である。測定時間テーブルには、表示部１２０から発せられる光の波長毎に、波長１１１３と、当該波長を測定する測定時間１１１４とを関連付けたデータが格納される。測定時間１１１４には、例えば、受光部１４３に含まれるフォトＩＣなどの特性（例えば、ある波長の光を当てた場合の電荷の蓄積量の時系列変化など）を考慮して、測定対象の波長の光の輝度値を適切に測定するための時間が設定される。例えば、表示装置１の製造時などに受光部１４３の特性が検査され、その検査結果が測定時間テーブルに反映される。
【００５２】
なお、測定時間テーブルに設定されている測定時間１１１４は、受光部１４３の特性に基づく時間である。従って、実際の測定対象である波長（測定波長）の測定時間は、「測定波長に対応する測定時間１１１４」×「測定波長の予測光量に対応する係数」により決定される。測定波長の予測光量に対応する係数は、表示特性テーブルのスペクトルデータ１１１２に基づいて当該予測光量に応じて決定できる。
【００５３】
図１に戻って説明する。色補正データ記憶部１１２には、色補正に用いる色補正データが格納される。色補正データ記憶部１１２には、例えば、色補正テーブルが格納される。
【００５４】
図５は、色補正テーブルの一例を示す図である。色補正テーブルには、表示装置１に入力される入力画像信号のＲＧＢ値である入力ＲＧＢ値毎に、入力ＲＧＢ値１１２１と、当該入力ＲＧＢ値で所望の目標色が表示部１２０に表示されるように補正した補正後の出力ＲＧＢ値１１２２とを関連付けたデータが格納される。
【００５５】
なお、図３〜図５の各テーブルの構成は、一例であり、図示した構成に限られない。
【００５６】
図１に戻って説明する。上記の測定制御部１００及び記憶部１１０は、例えば、ＣＰＵ（Central Processing Unit）、ＲＡＭ（Random Access Memory）、ＲＯＭ（Read Only Memory）などを備えるコントローラー基板により実現することができる。すなわち、測定制御部１００は、例えば、ＲＯＭなどに記憶されている所定のプログラムをＲＡＭにロードしてＣＰＵで実行することで実現可能である。記憶部１１０は、例えば、ＣＰＵがＲＡＭ又はＲＯＭを利用することにより実現可能である。もちろん、測定制御部１００の少なくとも一部の機能は、専用回路により実現してもよい。
【００５７】
なお、表示装置１の構成は、上記の構成に限られない。また、一般的な表示装置が備える構成を排除するものではない。上記の表示装置１の構成は、表示装置１の構成を理解容易にするために、主な処理内容に応じて分類したものである。構成要素の分類の仕方や名称によって、本願発明が制限されることはない。表示装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００５８】
次に、上記の表示装置１で実現される処理について説明する。
【００５９】
図６は、色補正データを生成する処理の一例を示すフロー図である。図６に示す色補正データ生成処理フローは、例えば、測定制御部１００が、図示しない表示装置１の入力装置などを介して、あるいは情報処理装置５から、ユーザーによる色補正の指示を受け付けた場合に開始される。
【００６０】
まず、カラーパッチ生成部１０１は、カラーパッチを生成する（ステップＳ１０）。具体的には、カラーパッチ生成部１０１は、予め決められた複数のカラーパッチパターンの中から、未測定のカラーパッチパターンを選択し、選択したカラーパッチパターンのＲＧＢ値のカラーパッチ画像情報を生成する。
【００６１】
それから、測定条件設定部１０２は、カラーパッチ画像の測定条件を設定する（ステップＳ２０）。具体的には、測定条件設定部１０２は、表示特性記憶部１１１の表示特性テーブル（図３参照）から、ステップＳ１０で生成されたカラーパッチ画像情報のＲＧＢ値に一致するＲＧＢ値１１１１に関連付けられたスペクトルデータ１１１２を取得する。一致するＲＧＢ値１１１１がない場合、測定条件設定部１０２は、カラーパッチ画像情報のＲＧＢ値に最も近いＲＧＢ値１１１１を選択するようにすればよい。また、一致するＲＧＢ値１１１１がない場合、カラーパッチ画像情報のＲＧＢ値に近い（所定条件を満たす範囲の）ＲＧＢ値１１１１を複数特定し、特定した複数のＲＧＢ値１１１１に関連付けられたスペクトルデータ１１１２に基づいて補間処理を実行することで、カラーパッチ画像のスペクトルデータを生成するようにしてもよい。
【００６２】
また、測定条件設定部１０２は、取得した分光特性を表すスペクトルデータに基づいて、実際に測定を行う測定波長を決定する。例えば、測定条件設定部１０２は、取得したスペクトルデータから特定されるスペクトル曲線について、２次微分（２次微分スペクトル曲線）を求め、２次微分の絶対値が高い方から所定数の波長を選択し、実際に測定を行う測定波長として決定する。例えば、図７（測定波長の決定方法の一例を説明する図）に示されている元のスペクトル曲線の２次微分スペクトル曲線を求めると、２次微分の絶対値が高い波長は、Ｐ１〜Ｐ７などの特徴点の波長に対応する。このようにすれば、スペクトル曲線の特徴点にあたる波長を実際の測定対象として、ステップＳ５０で分光特性を示すスペクトル曲線を計算する際の、特に補間処理の精度を向上することができる。また、より特徴がある波長を優先的に実際の測定対象とするため、分光特性を計算する際の精度を維持することができる。
【００６３】
もちろん、実際に測定を行う波長を決定する方法は上記に限られない。例えば、測定条件設定部１０２は、所定数の波長を選択するのではなく、スペクトル曲線の２次微分の絶対値のうち、所定の閾値を超える値の波長を選択するようにしてもよい。このようにすれば、例えばスペクトルにピーキーな部分が多く含まれる場合でも適切に波長を選択して、ステップＳ５０で分光特性を示すスペクトル曲線を計算する際の、特に補間処理の精度を向上することができる。
【００６４】
また、測定条件設定部１０２は、表示特性記憶部１１１の測定時間テーブル（図４参照）から、上記のように決定した実際に測定を行う各測定波長について、一致する波長１１１３に関連付けられた測定時間１１１４を取得する。また、各測定波長について、上述のように取得したスペクトルデータ１１１２に基づいて当該測定波長の光量（輝度）に対応する係数を決定する。それから、各測定波長について、取得した測定時間１１１４と決定した光量に対応する係数との積を算出し、各測定波長の測定時間として設定する。
【００６５】
それから、カラーパッチ生成部１０１は、カラーパッチを表示する（ステップＳ３０）。具体的には、カラーパッチ生成部１０１は、ステップＳ１０で生成したカラーパッチ画像情報を、信号処理部１３０に出力する。なお、信号処理部１３０は、入力されたカラーパッチ画像情報に色補正を行わずに表示部１２０に出力する。
【００６６】
それから、測定制御部１００は、カラーパッチの測定を行う（ステップＳ４０）。具体的には、測定制御部１００は、ステップＳ２０で設定された実際に測定を行う測定波長ごとに、当該測定波長の光が分光部１４２により透過されるように分光制御部１４４に駆動制御信号を出力するとともに、当該測定波長についての測定時間で蓄積された電気信号が受光部１４３から出力されるように受光制御部１４５に駆動制御信号を出力する。
【００６７】
それから、分光特性計算部１０３は、分光特性を計算する（ステップＳ５０）。具体的には、分光特性計算部１０３は、測定対象の各測定波長について受光部１４３から出力された電気信号に基づいて、ステップＳ３０で表示されたカラーパッチ画像の分光特性を示すスペクトル曲線を計算し、分光特性を示すデータを、色彩値計算部１０４に出力する。なお、分光特性計算部１０３は、分光特性を計算するに際し、得られた各測定波長の電気信号が示す光の輝度値についてゲイン補正や波長方向の補間処理などを行う。
【００６８】
それから、色彩値計算部１０４は、色彩値を計算する（ステップＳ６０）。具体的には、色彩値計算部１０４は、ステップＳ５０で出力された分光特性を示すデータに基づいて、ステップＳ３０で表示されたカラーパッチ画像の色彩値を計算し、色彩値を示すデータを、色補正データ生成部１０５に出力する。
【００６９】
それから、カラーパッチ生成部１０１は、未測定のカラーパッチがあるか否かを判定する（ステップＳ７０）。具体的には、カラーパッチ生成部１０１は、予め決められた複数のカラーパッチパターンの中から、未測定のカラーパッチパターンがあるか否かを判定する。未測定のカラーパッチパターンがある場合（ステップＳ７０：Ｙ）、カラーパッチ生成部１０１は、処理をステップＳ１０に戻す。一方、未測定のカラーパッチパターンがない場合（ステップＳ７０：Ｎ）、カラーパッチ生成部１０１は、処理をステップＳ８０に進める。
【００７０】
それから、色補正データ生成部１０５は、色補正データを生成する（ステップＳ８０）。すなわち、色補正データ生成部１０５は、入力画像信号で指定される色を所望の目標色で表示部１２０に表示させるための色補正データを生成する。
【００７１】
図８は、色補正データの生成方法の一例を説明する図である。図８は、入力画像信号で指定される入力値（ＲＧＢ値）に対する、表示部１２０に表示される出力値（輝度）の変化を表している。図中の測定値は、ステップＳ６０で計算された輝度のデータに基づいて特定されるものである。図中の目標値は、所望の目標値として予め定められて記憶部１１０に格納されているものである。なお、目標値は、測定制御部１００が、図示しない表示装置１の入力装置などを介して、あるいは情報処理装置５から、ユーザーによる設定を受け付けて、記憶部１１０に格納するようにしてもよい。
【００７２】
色補正データ生成部１０５は、目標値における入力値Ｄｉｎに対応する出力値Ｄｏｕｔと一致するように、測定値における入力値Ｄｉｎ´を算出する。すなわち、入力値がＤｉｎのときに入力値Ｄｉｎ´が出力されるように補正するための補正パラメーターを算出する。ここでは、入力値Ｄｉｎ´を補正パラメーターとする。色補正データ生成部１０５は、入力Ｄｉｎを入力ＲＧＢ値１１２１として、入力Ｄｉｎ´を出力ＲＧＢ値１１２２として関連付けて、色補正テーブルに格納する。色補正データ生成部１０５は、このような処理を、各入力ＲＧＢ値について行う。
【００７３】
色補正データ生成部１０５は、上記のように色補正データを生成して、図６に示す色補正データ生成処理フローを終了する。
【００７４】
図９は、色補正処理の一例を示すフロー図である。図９に示す色補正処理フローは、例えば、信号処理部１３０が、情報処理装置５から、画像出力の開始の指示を受け付けた場合に開始される。
【００７５】
信号処理部１３０は、画像信号の入力があるか否かを判定する（ステップＳ１１０）。画像信号の入力がない場合（ステップＳ１１０：Ｎ）、信号処理部１３０は、判定を継続する。
【００７６】
画像信号の入力がある場合（ステップＳ１１０：Ｙ）、信号処理部１３０は、入力された画像信号の色補正を行う（ステップＳ１２０）。具体的は、信号処理部１３０は、色補正データ記憶部１１２の色補正テーブル（図５参照）から、入力画像信号のＲＧＢ値に一致する入力ＲＧＢ値１１２１に関連付けられた出力ＲＧＢ値１１２２を取得する。
【００７７】
それから、信号処理部１３０は、色補正後の画像信号を出力し（ステップＳ１３０）、処理をステップＳ１１０に戻す。具体的には、信号処理部１３０は、ステップＳ１２０で取得した出力ＲＧＢ値１１２２を、表示部１２０に出力する。
【００７８】
なお、上記の図６及び図９に示すフローの各処理単位は、表示装置１の処理を理解容易にするために、主な処理内容に応じて分割したものである。処理単位の分割の仕方や名称によって、本願発明が制限されることはない。表示装置１の処理は、処理内容に応じて、さらに多くの処理単位に分割することもできる。また、１つの処理単位がさらに多くの処理を含むように分割することもできる。
【００７９】
以上、本発明の第一実施形態について説明した。第一実施形態によれば、ファブリぺロー方式などの分光器を用いて測色を行う場合に、測定精度を維持したまま、測定時間を短くすることができる。すなわち、第一実施形態では、カラーパッチが表示されたときに発せられる光の分光特性を特定し、当該特定された分光特性に基づいて、分光器による測定が行われる。そのため、カラーパッチに応じた測定が実現でき、測定精度を維持したまま、測定時間を短縮することができる。
【００８０】
＜第二実施形態＞
第一実施形態は、液晶ディスプレイなどの表示装置に関するものであるが、第二実施形態は、スクリーンや壁に画像を投影する投影装置（「プロジェクター」と呼んでもよい。）に関する。特徴的な処理は、第一実施形態と共通するため、第一実施形態と異なる部分を中心に簡単に説明する。
【００８１】
図１０は、本発明の第二実施形態に係る投影装置２の概略構成の一例を示す図である。
【００８２】
投影装置２は、測定制御部２００と、記憶部２１０と、投影部２２０と、信号処理部２３０と、分光センサー部１４０とを有する。なお、測定制御部２００、記憶部２１０、及び分光センサー部１４０は、投影装置２に内蔵の測色器としての構成要素であってもよい。
【００８３】
投影部２２０は、例えば、ＬＣＤ方式のプロジェクターの主要部であり、光源ランプ、ダイクロイックミラー、液晶パネル、プリズム、レンズなどを含む。なお、「投影部」は、「出力部」と呼んでもよい。
【００８４】
信号処理部２３０は、例えば、情報処理装置５から画像信号が入力された場合、色補正データ記憶部２１２に格納されている色補正データに基づいて入力画像信号の色を補正し、投影部２２０の液晶パネルに出力する。信号処理部２３０は、カラーパッチ画像の画像信号が入力された場合、色補正を行わずに、投影部２２０に出力する。なお、信号処理部２３０は、色補正データを色補正データ記憶部２１２から読み出して、自身内部の記憶装置に格納しておき、当該記憶装置内の色補正データを用いて、色補正を行ってもよい。
【００８５】
分光センサー部１４０は、第一実施形態と基本的に同様である。なお、第二実施形態では、分光センサー部１４０は、投影部２２０から投影面に投影される画像から反射された光を検出できるように、例えば、導光部１４１が投影面と対向する位置及び向きで設置される。
【００８６】
分光センサー部１４０は、例えば図１４（Ｂ）（投影装置２における分光センサー部１４０の設置位置の例を説明する図）に示すように、導光部１４１が外部に露出して投影方向を向くように投影装置２の内部に設置される。なお、導光部１４１は、例えばレンズを含んで構成される。
【００８７】
測定制御部２００は、投影装置２による投影の測定に関する制御を行う。測定制御部２００は、カラーパッチ生成部２０１と、測定条件設定部２０２と、分光特性計算部２０３と、色彩値計算部２０４と、色補正データ生成部２０５とを有する。
【００８８】
カラーパッチ生成部２０１は、色補正データを作成するために用いる一以上のカラーパッチ画像を生成し、信号処理部２３０に出力する。
【００８９】
測定条件設定部２０２は、投影特性記憶部２１１に格納されている投影部２２０の投影特性に関するデータに基づいて、各カラーパッチ画像に対する測定条件（測定波長、測定時間など）を決定し、設定する。なお、測定制御部２００は、測定条件設定部２０２により設定された測定条件に基づいて、分光センサー部１４０を制御する。
【００９０】
分光特性計算部２０３は、第一実施形態の分光特性計算部１０３と基本的に同様である。
【００９１】
色彩値計算部２０４は、第一実施形態の色彩値計算部１０４と基本的に同様である。
【００９２】
色補正データ生成部２０５は、色彩値計算部２０４から出力される各カラーパッチの色彩値に基づいて、入力画像信号で指定される色を所望の目標色で投影部２２０から投影させるための色補正データを生成し、色補正データ記憶部２１２に格納する。
【００９３】
記憶部２１０には、投影特性記憶部２１１と、色補正データ記憶部２１２とが含まれる。投影特性記憶部２１１には、投影部２２０の投影特性に関するデータが格納される。投影特性記憶部２１１には、例えば、投影特性テーブルと、測定時間テーブルとが格納される。色補正データ記憶部２１２には、例えば、色補正テーブルが格納される。
【００９４】
投影特性テーブルには、投影装置２に入力される入力画像信号のＲＧＢ値毎に、ＲＧＢ値と、当該ＲＧＢ値に基づいて色補正なしで投影部２２０から投影されたときに測定される光の分光特性を表すスペクトルデータとを関連付けたデータが格納される。なお、例えば、投影装置２の製造時などに投影部２２０から投影される光の測定が行われ、その測定結果が投影特性テーブルに反映される。
【００９５】
測定時間テーブルには、投影部２２０により投影される光の波長毎に、当該波長と、当該波長を測定する測定時間とを関連付けたデータが格納される。測定時間には、例えば、受光部１４３に含まれるフォトＩＣなどの特性を考慮して、測定対象の波長の光の輝度値を適切に測定するための時間が設定される。例えば、投影装置２の製造時などに受光部１４３の特性が検査され、その検査結果が測定時間テーブルに反映される。
【００９６】
なお、第一実施形態と同様に、測定時間テーブルに設定されている測定時間は、受光部１４３の特性に基づく時間である。従って、実際の測定対象である波長（測定波長）の測定時間は、「測定波長に対応する測定時間」×「測定波長の予測光量に対応する係数」により決定される。測定波長の予測光量に対応する係数は、投影特性テーブルのスペクトルデータに基づいて当該予測光量に応じて決定できる。
【００９７】
色補正テーブルには、投影装置２に入力される入力画像信号のＲＧＢ値である入力ＲＧＢ値毎に、入力ＲＧＢ値と、当該入力ＲＧＢ値で所望の目標色が投影部２２０から投影されるように補正した補正後の出力ＲＧＢ値とを関連付けたデータが格納される。
【００９８】
以上、本発明の第二実施形態について説明した。第二実施形態によれば、ファブリぺロー方式などの分光器を用いて測色を行う場合に、カラーパッチが投影されたときに発せられる光の分光特性を特定し、当該特定された分光特性に基づいて、分光器による測定が行われる。そのため、カラーパッチに応じた測定が実現でき、測定精度を維持したまま、測定時間を短縮することができる。
【００９９】
＜第三実施形態＞
第一実施形態及び第二実施形態は、自装置が表示あるいは投影することにより光を発する装置に関するが、第三実施形態は、紙などの印刷媒体に画像を印刷する印刷装置に関する。第一実施形態と異なる部分を中心に簡単に説明する。
【０１００】
図１１は、本発明の第三実施形態に係る印刷装置３の概略構成の一例を示す図である。
【０１０１】
印刷装置３は、カラーチャート画像を印刷し、印刷されたカラーチャート画像に対し光を当て、その反射光を分光センサーにより分光するとともに、分光された波長の光の輝度値を検出する。また、検出した各波長の輝度に基づいて、印刷装置３が入力画像データに基づいて印刷を行うときに用いる色補正データを生成する。印刷装置３は、生成した色補正データを用いて入力画像データを補正し、印刷を行う。
【０１０２】
第三実施形態では、説明を分かり易くするため、印刷装置３が情報処理装置５などから受信する印刷データ（入力画像データ）は、例えば、ＣＭＹＫ色の印刷データであるものとする。もちろん、印刷装置３は、ＲＧＢ色の印刷データを受信し、ＬＵＴ（ルックアップテーブル）を参照することで、ＣＭＹＫ色の印刷データに変換するようにしてもよい。
【０１０３】
印刷装置３は、測定制御部３００と、記憶部３１０と、印刷部３２０と、通信部３３０と、印刷制御部３４０と、分光センサー部１４０とを有する。なお、測定制御部３００、記憶部３１０、及び分光センサー部１４０は、印刷装置３に内蔵の測色器としての構成要素であってもよい。
【０１０４】
印刷部３２０は、例えば、インクジェット方式などの印刷エンジン部であり、インクカートリッジ、印刷ヘッド、キャリッジ、紙送り機構などを含む。もちろん、印刷方式は、インクジェット方式に限られず、例えば、レーザー方式であってもよい。なお、「印刷部」は、「出力部」と呼んでもよい。
【０１０５】
通信部３３０は、例えば、情報処理装置５から印刷データを受信し、測定制御部３００又は記憶部３１０に出力する。
【０１０６】
印刷制御部３４０は、印刷部３２０による印刷を制御する。なお、「印刷制御部」と「印刷部」の両方を、「出力部」と呼んでもよい。
【０１０７】
印刷制御部３４０は、例えば、通信部３３０から印刷データが入力された場合、色補正データ記憶部３１２に格納されている色補正データに基づいて印刷データの色を補正し、当該印刷データに基づいて印刷部３２０で印刷を実行するためのデータを生成し、印刷部３２０に出力する。なお、印刷制御部３４０は、色補正データを色補正データ記憶部３１２から読み出して、自身内部の記憶装置に格納しておき、当該記憶装置内の色補正データを用いて、色補正を行ってもよい。なお、「印刷制御部」は、「色補正処理部」と呼んでもよい。
【０１０８】
また、印刷制御部３４０は、例えば、カラーチャート画像を印刷する場合、色補正を行わずに、カラーチャート画像に基づいて印刷部３２０で印刷を実行するためのデータを生成し、印刷部３２０に出力する。
【０１０９】
分光センサー部１４０は、第一実施形態と基本的に同様である。ただし、第三実施形態では、分光センサー部１４０は、印刷部３２０により印刷媒体に印刷された画像から反射された光を検出できるように、例えば、導光部１４１が印刷面と対向する位置及び向きで設置される。
【０１１０】
さらに、分光センサー部１４０は、印刷媒体に印刷された画像の光を検出するため、光源部１４６と、光源制御部１４７とを有する。
【０１１１】
分光センサー部１４０は、例えば図１４（Ｃ）（印刷装置３における分光センサー部１４０の設置位置の例を説明する図）に示すように、導光部１４１が印刷媒体Ｓの印刷面に向くように印刷装置３の内部に設置される。なお、導光部１４１は、例えば開口部を含んで構成される。光源部１４６から出射された光は、導光部１４１を介して印刷媒体Ｓに当たる。
【０１１２】
光源部１４６は、例えば、白色ＬＥＤなどの白色光を出射する光源である。光源部１４６は、光源制御部１４７から出力される駆動制御信号に基づいて、点灯をオンしたりオフしたりする。
【０１１３】
光源制御部１４７は、光源部１４６を制御する駆動回路である。光源制御部１４７は、測定制御部３００から駆動制御信号が入力されると、当該駆動制御信号を光源部１４６に出力する。これにより、光源部１４６は、指定された点灯時間の間、白色光を出射する。
【０１１４】
測定制御部３００は、印刷装置３による印刷結果の測定に関する制御を行う。測定制御部３００は、カラーチャート生成部３０１と、測定条件設定部３０２と、分光特性計算部３０３と、色彩値計算部３０４と、色補正データ生成部３０５とを有する。
【０１１５】
カラーチャート生成部３０１は、色補正データを作成するために用いる一以上のカラーパッチを含むカラーチャート画像情報（「色画像情報」と呼んでもよい。）を生成し、印刷制御部３４０に出力する。なお、印刷制御部３４０は、生成されたカラーチャート画像情報に基づいて印刷部３２０で印刷を実行するためのデータを生成し、印刷部３２０に出力する。
【０１１６】
測定条件設定部３０２は、印刷特性記憶部３１１に格納されている印刷部３２０の印刷特性に関するデータに基づいて、カラーチャート画像に含まれる各カラーパッチ画像に対する測定条件（測定波長、測定時間など）を決定し、設定する。
【０１１７】
なお、印刷制御部３４０は、測定を実行する際、印刷されたカラーチャート画像に含まれる各カラーパッチ画像から反射される光を分光センサー部１４０で検出できるように、印刷部３２０を制御して、例えば、印刷媒体の紙送り方向の位置を調整する。また、測定制御部３００は、測定条件設定部３０２により設定された測定条件に基づいて、分光センサー部１４０を制御する。すなわち、測定制御部３００は、印刷面のカラーチャート画像に含まれる各カラーパッチ画像に対して光が出射されるように光源制御部１４７に駆動制御信号を出力する。また、測定制御部３００は、設定された測定波長の光が分光部１４２により透過されるように分光制御部１４４に駆動制御信号を出力するとともに、設定された測定時間で蓄積された光の電気信号が受光部１４３から出力されるように受光制御部１４５に駆動制御信号を出力する。
【０１１８】
分光特性計算部３０３は、第一実施形態の分光特性計算部１０３と基本的に同様である。
【０１１９】
色彩値計算部３０４は、第一実施形態の色彩値計算部１０４と基本的に同様である。
【０１２０】
色補正データ生成部３０５は、色彩値計算部３０４から出力されるカラーチャートに含まれる各カラーパッチ画像の色彩値に基づいて、入力画像データで指定される色を所望の目標色で印刷部３２０により印刷させるための色補正データを生成し、色補正データ記憶部３１２に格納する。
【０１２１】
記憶部３１０には、印刷特性記憶部３１１と、色補正データ記憶部３１２とが含まれる。印刷特性記憶部３１１には、印刷部３２０の印刷特性に関するデータが格納される。印刷特性記憶部３１１には、例えば、印刷特性テーブルと、測定時間テーブルとが格納される。色補正データ記憶部３１２には、例えば、色補正テーブルが格納される。
【０１２２】
印刷特性テーブルには、印刷装置３に入力される入力画像データのＣＭＹＫ値毎に、ＣＭＹＫ値と、当該ＣＭＹＫ値に基づいて色補正なしで印刷部３２０により印刷された画像について測定される光の分光特性を表すスペクトルデータとを関連付けたデータが格納される。なお、例えば、印刷装置３の製造時などに印刷部３２０により印刷される画像の光の測定が行われ、その測定結果が印刷特性テーブルに反映される。
【０１２３】
測定時間テーブルには、印刷部３２０により印刷される画像の光の波長毎に、当該波長と、当該波長を測定する測定時間とを関連付けたデータが格納される。測定時間には、例えば、受光部１４３に含まれるフォトＩＣなどの特性を考慮して、測定対象の波長の光の輝度を適切に測定するための時間が設定される。各波長の測定時間と合わせて、光源部１４６を点灯させる点灯時間を格納するようにしてもよい。例えば、印刷装置３の製造時などに受光部１４３の特性が検査され、その検査結果が測定時間テーブルに反映される。
【０１２４】
なお、第一実施形態と同様に、測定時間テーブルに設定されている測定時間は、受光部１４３の特性に基づく時間である。従って、実際の測定対象である波長（測定波長）の測定時間は、「測定波長に対応する測定時間」×「測定波長の予測光量に対応する係数」により決定される。測定波長の予測光量に対応する係数は、印刷特性テーブルのスペクトルデータに基づいて当該予測光量に応じて決定できる。
【０１２５】
色補正テーブルには、印刷装置３に入力される入力画像データのＣＭＹＫ値である入力ＣＭＹＫ値毎に、入力ＣＭＹＫ値と、当該入力ＣＭＹＫ値で所望の目標色が印刷部３２０により印刷されるように補正した補正後の出力ＣＭＹＫ値とを関連付けたデータが格納される。
【０１２６】
図１２は、色補正データを生成する処理の一例を示すフロー図である。図１２に示す色補正データ生成処理フローは、例えば、測定制御部３００が、図示しない印刷装置３の入力装置などを介して、あるいは情報処理装置５から、ユーザーによる色補正の指示を受け付けた場合に開始される。
【０１２７】
まず、カラーチャート生成部３０１は、カラーチャートを生成する（ステップＳ２１０）。具体的には、カラーチャート生成部３０１は、予め決められた複数のカラーチャートパターンの中から、未測定のカラーチャートパターンを選択し、選択したカラーチャートパターンのＣＭＹＫ値のカラーチャート画像情報を生成する。なお、ここでは、生成したカラーチャート画像情報には、一つのカラーパッチ画像情報が含まれるものとする。
【０１２８】
それから、測定条件設定部３０２は、カラーチャート画像の測定条件を設定する（ステップＳ２２０）。具体的には、測定条件設定部３０２は、印刷特性記憶部３１１の印刷特性テーブルから、ステップＳ２１０で生成されたカラーチャート画像情報のＣＭＹＫ値に一致するＣＭＹＫ値に関連付けられたスペクトルデータを取得する。一致するＣＭＹＫ値がない場合、測定条件設定部３０２は、カラーチャート画像情報のＣＭＹＫ値に最も近いＣＭＹＫ値を選択するようにすればよい。また、一致するＣＭＹＫ値がない場合、カラーチャート画像情報のＣＭＹＫ値に近い（所定条件を満たす範囲の）ＣＭＹＫ値を複数特定し、特定した複数のＣＭＹＫ値に関連付けられたスペクトルデータに基づいて補間処理を実行することで、カラーチャート画像のスペクトルデータを生成するようにしてもよい。取得したスペクトルデータに基づいて、実際に測定を行う測定波長を決定する方法と、決定した各測定波長の測定時間を決定する方法とは、第一実施形態と同様なので説明を省略する。
【０１２９】
それから、カラーチャート生成部３０１は、カラーチャートを印刷する（ステップＳ２３０）。具体的には、印刷制御部３４０は、ステップＳ２１０で生成されたカラーチャート画像情報に基づいて印刷部３２０で印刷を実行するためのデータを生成し、印刷部３２０に出力する。なお、印刷制御部３４０は、カラーチャート画像を印刷する場合、カラーチャート画像情報に色補正を行わない。このようにして、印刷制御部３４０は、印刷部３２０によりカラーチャートを印刷させる。
【０１３０】
それから、測定制御部３００は、カラーチャートの測定を行う（ステップＳ２４０）。具体的には、印刷制御部３４０は、ステップＳ２３０で印刷されたカラーチャート画像から反射された光を分光センサー部１４０で検出できるように、印刷部３２０を制御して、例えば、印刷媒体の紙送り方向の位置を調整する。それから、測定制御部３００は、印刷面のカラーチャート画像に対して光が出射されるように光源制御部１４７に駆動制御信号を出力する。また、測定制御部３００は、ステップＳ２２０で設定された実際に測定を行う測定波長ごとに、当該測定波長の光が分光部１４２により透過されるように分光制御部１４４に駆動制御信号を出力するとともに、当該測定波長についての測定時間で蓄積された電気信号が受光部１４３から出力されるように受光制御部１４５に駆動制御信号を出力する。
【０１３１】
それから、分光特性計算部３０３は、分光特性を計算する（ステップＳ２５０）。具体的には、分光特性計算部３０３は、測定対象の各測定波長について受光部１４３から出力された電気信号に基づいて、ステップＳ２３０で印刷されたカラーチャート画像の分光特性を示すスペクトル曲線を計算し、分光特性を示すデータを、色彩値計算部３０４に出力する。なお、分光特性計算部３０３は、分光特性を計算するに際し、得られた各測定波長の電気信号が示す輝度についてゲイン補正や波長方向の補間処理などを行う。
【０１３２】
それから、色彩値計算部３０４は、色彩値を計算する（ステップＳ２６０）。具体的には、色彩値計算部３０４は、ステップＳ２５０で出力された分光特性を示すデータに基づいて、ステップＳ２３０で印刷されたカラーチャート画像の色彩値を計算し、色彩値を示すデータを、色補正データ生成部３０５に出力する。
【０１３３】
それから、カラーチャート生成部３０１は、未測定のカラーチャートがあるか否かを判定する（ステップＳ２７０）。具体的には、カラーチャート生成部３０１は、予め決められた複数のカラーチャートパターンの中から、未測定のカラーチャートパターンがあるか否かを判定する。未測定のカラーチャートパターンがある場合（ステップＳ２７０：Ｙ）、カラーチャート生成部３０１は、処理をステップＳ２１０に戻す。一方、未測定のカラーチャートパターンがない場合（ステップＳ２７０：Ｎ）、カラーチャート生成部３０１は、処理をステップＳ２８０に進める。
【０１３４】
それから、色補正データ生成部３０５は、色補正データを生成する（ステップＳ２８０）。すなわち、色補正データ生成部３０５は、入力画像データで指定される色を所望の目標色で印刷部３２０により印刷させるための色補正データを生成する。具体的な色補正データの生成方法は、基本的には第一実施形態と同様であるが、図８を参照して説明する。
【０１３５】
第三実施形態では、図８は、入力画像データで指定される入力値（ＣＭＹＫ値）に対する、印刷部３２０により印刷される出力値（反射率）の変化を表しているものとする。図中の測定値は、ステップＳ２６０で計算された反射率のデータに基づいて特定されるものである。図中の目標値は、所望の目標値として予め定められて記憶部３１０に格納されているものである。なお、目標値は、測定制御部３００が、図示しない印刷装置３の入力装置などを介して、あるいは情報処理装置５から、ユーザーによる設定を受け付けて、記憶部３１０に格納するようにしてもよい。
【０１３６】
色補正データ生成部３０５は、目標値における入力値Ｄｉｎに対応する出力値Ｄｏｕｔと一致するように、測定値における入力値Ｄｉｎ´を算出する。すなわち、入力値がＤｉｎのときに入力値Ｄｉｎ´が出力されるように補正するための補正パラメーターを算出する。ここでは、入力値Ｄｉｎ´を補正パラメーターとする。色補正データ生成部３０５は、入力Ｄｉｎを入力ＣＭＹＫ値として、入力Ｄｉｎ´を出力ＣＭＹＫ値として関連付けて、色補正テーブルに格納する。色補正データ生成部３０５は、このような処理を、各入力ＣＭＹＫ値について行う。なお、ある入力ＣＭＹＫ値に対応した目標色を実現するために必要なＣＭＹＫ値（出力ＣＭＹＫ値）を、他の複数の入力ＣＭＹＫ値の測定結果である色彩値に基づいて、補間処理を実行することにより求めるようにしてもよい。
【０１３７】
色補正データ生成部３０５は、上記のように色補正データを生成して、図１２に示す色補正データ生成処理フローを終了する。
【０１３８】
図１３は、色補正処理の一例を示すフロー図である。図１３に示す色補正処理フローは、例えば、印刷制御部３４０が、情報処理装置５から、印刷開始の指示を受け付けた場合に開始される。
【０１３９】
印刷制御部３４０は、通信部３３０を介して印刷データを受信したか否かを判定する（ステップＳ３１０）。印刷データが受信されていない場合（ステップＳ３１０：Ｎ）、印刷制御部３４０は、判定を継続する。
【０１４０】
印刷データが受信された場合（ステップＳ３１０：Ｙ）、印刷制御部３４０は、受信された印刷データの色補正を行う（ステップＳ３２０）。具体的は、印刷制御部３４０は、色補正データ記憶部３１２の色補正テーブルから、入力画像データ（印刷データ）のＣＭＹＫ値に一致する入力ＣＭＹＫ値に関連付けられた出力ＣＭＹＫ値を取得する。
【０１４１】
それから、印刷制御部３４０は、色補正後の印刷データに基づいて印刷部３２０で印刷を実行するためのデータを生成し、印刷部３２０に出力し（ステップＳ３３０）、処理をステップＳ３１０に戻す。このようにして、印刷制御部３４０は、印刷部３２０により印刷データを印刷させる。
【０１４２】
なお、第三実施形態では、入力画像データのＣＭＹＫ値を、色補正データを使って補正しているが、このような方法に限られない。例えば、印刷装置３がＲＧＢ値とＣＭＹＫ値とを関連付けたＬＵＴを用いる場合、色補正データの出力ＣＭＹＫ値を、ＬＵＴに反映するようにしてもよい。このようにすれば、印刷装置３は、ＲＧＢ色の印刷データを受信した場合に、当該ＬＵＴを参照することで、色補正されたＣＭＹＫ色の印刷データを生成し、印刷を実行することができる。
【０１４３】
また、第三実施形態では、一つのカラーパッチ画像が含まれるカラーチャート画像ごとに印刷と測定を行っているが、複数のカラーパッチ画像が含まれるカラーチャート画像を例えば１ページに印刷し、それからカラーパッチ画像ごとに測定を行うようにしてもよい。
【０１４４】
以上、本発明の第三実施形態について説明した。第三実施形態によれば、ファブリぺロー方式などの分光器を用いて測色を行う場合に、印刷されたカラーチャートから発せられる光の分光特性を特定し、当該特定された分光特性に基づいて、分光器による測定が行われる。そのため、カラーチャートに応じた測定が実現でき、測定精度を維持したまま、測定時間を短縮することができる。
【０１４５】
なお、以上の本発明の第一〜第三実施形態は、本発明の要旨と範囲を例示することを意図し、限定するものではない。多くの代替物、修正、変形例は当業者にとって明らかである。
【０１４６】
例えば、第一実施形態の表示装置１は、色彩値計算部１０４で計算された色彩値のデータを、ＩＣＣプロファイルなどのプロファイル情報として情報処理装置５などの接続された機器に出力するようにしてもよい。なお、プロファイル情報は、キャリブレーションなどに用いる色補正データより高い精度が求められることが多いので、表示装置１は、カラーパッチの数（測定色数）及び測定波長数を増やしてもよい。第二実施形態の投影装置２、及び第三実施形態の印刷装置３も同様に、計算された色彩値のデータを、プロファイル情報として情報処理装置５などの接続された機器に出力するようにしてもよい。このようにすれば、ＩＣＣプロファイルなどのプロファイル情報の生成において、測定精度を維持したまま、測定時間を短縮することができる。なお、プロファイル情報を出力する機能を「プロファイル出力部」と呼んでもよい。
【０１４７】
例えば、上記の第一〜第三実施形態では、表示特性テーブル（第二実施形態では投影特定テーブル、第三実施形態では印刷特性テーブル）のスペクトルデータから実際に測定する測定波長を決定しているが、表示特性テーブルのスペクトルデータの代わりに、実際に測定する測定波長を設定しておくようにしてもよい。この場合、測定条件設定部は、表示特性テーブルの測定波長をそのまま測定条件として設定する。このようにすれば、２次微分の演算処理などを省略することができる。
【０１４８】
例えば、第一実施形態では、測定制御部１００及び記憶部１１０は表示装置１内で実現されているが、これらの機能は、情報処理装置５内でＣＰＵが所定のプログラムを実行することにより実現されてもよい。なお、この場合、例えば、信号処理部１３０は、情報処理装置５と分光センサー部１４０との間の情報の送受信を行う。同様に、第二実施形態では、測定制御部２００及び記憶部２１０は投影装置２内で実現されているが、これらの機能は、情報処理装置５内でＣＰＵが所定のプログラムを実行することにより実現されてもよい。同様に、第三実施形態では、測定制御部３００及び記憶部３１０は印刷装置３内で実現されているが、これらの機能は、情報処理装置５内でＣＰＵが所定のプログラムを実行することにより実現されてもよい。
【０１４９】
例えば、第一〜第三実施形態では、測定制御部１００、記憶部１１０、及び分光センサー部１４０は、測定対象の装置（表示装置、投影装置、印刷装置）内で実現されているが、測定対象の装置とは別体の測色器として実現されてもよい。
【０１５０】
第一〜第三実施形態では、ファブリぺロー方式の分光器を用いているが、同様の機能を有していればこの方式に限られない。例えば、分光器は、特定の波長を透過するエタロンを複数備え、これらのエタロンを機械的に切り替える仕組みを有するものであってもよい。
【０１５１】
本発明は、光源装置を有する表示装置や投影装置など、光源装置を有さない印刷装置など、画像処理装置全般に適用することができる。
【符号の説明】
【０１５２】
１：表示装置、５：情報処理装置、１００：測定制御部、１０１：カラーパッチ生成部、１０２：測定条件設定部、１０３：分光特性計算部、１０４：色彩値計算部、１０５：色補正データ生成部、１１０：記憶部、１１１：表示特性記憶部、１１２：色補正データ記憶部、１２０：表示部、１３０：信号処理部、１４０：分光センサー部、１４１：導光部、１４２：分光部、１４３：受光部、１４４：分光制御部、１４５：受光制御部、
２：投影装置、２００：測定制御部、２０１：カラーパッチ生成部、２０２：測定条件設定部、２０３：分光特性計算部、２０４：色彩値計算部、２０５：色補正データ生成部、２１０：記憶部、２１１：投影特性記憶部、２１２：色補正データ記憶部、２２０：投影部、２３０：信号処理部、
３：印刷装置、３００：測定制御部、３０１：カラーチャート生成部、３０２：測定条件設定部、３０３：分光特性計算部、３０４：色彩値計算部、３０５：色補正データ生成部、３１０：記憶部、３１１：印刷特性記憶部、３１２：色補正データ記憶部、３２０：印刷部、３３０：通信部、３４０：印刷制御部、１４６：光源部、１４７：光源制御部、
１１１１：ＲＧＢ値、１１１２：スペクトルデータ、１１１３：波長、１１１４：測定時間、１１２１：入力ＲＧＢ値、１１２２：出力ＲＧＢ値、
１４２１：固定基板、１４２２：可動基板、１４２３：固定反射膜、１４２４：可動反射膜、１４２５：静電アクチュエーター、１４２５ａ：第一電極、１４２５ｂ：第二電極、１４２６：電極形成溝
【図１】
2014190916.tif 000003
【図２】
2014190916.tif 000004
【図３】
2014190916.tif 000005
【図４】
2014190916.tif 000006
【図５】
2014190916.tif 000007
【図６】
2014190916.tif 000008
【図７】
2014190916.tif 000009
【図８】
2014190916.tif 000010
【図９】
2014190916.tif 000011
【図１０】
2014190916.tif 000012
【図１１】
2014190916.tif 000013
【図１２】
2014190916.tif 000014
【図１３】
2014190916.tif 000015
【図１４】
2014190916.tif 000016